【手続補正書】
【提出日】平成18年9月28日(2006.9.28)
【手続補正１】
【補正対象書類名】明細書
【補正対象項目名】全文
【補正方法】変更
【補正の内容】
【書類名】  明細書
【発明の名称】  テープカセット
【特許請求の範囲】
【請求項１】  上下ケースの組合せによりなるテープカセットの背面に誤消去防止部が下ケースの内側に向かって凹形に形成されており、前記誤消去防止部内を記録可能位置と記録不可位置との間で左右方向にスライド可能な誤消去防止スライダー片が取り付けられており、前記誤消去防止スライダー片に曲面が形成された被係止部が備えられていると共に、前記下ケースから少なくとも２つの係止部が隆起しており、前記誤消去防止スライダー片を記録可能位置または記録不可位置までスライドさせた際に前記曲面状の被係止部の曲面にいずれか一方の係止部を構成する曲面部が当接した状態で係止することにより、記録可能位置または記録不可位置に前記誤消去防止スライダー片がロックされるテープカセットであって、
前記記録可能位置または記録不可位置に前記誤消去防止スライダー片がロックされた際に前記係止部に当接した部分の曲面の曲率が、前記被係止部に当接した部分の曲面部の曲率と同じかまたは小さいことを特徴とする、テープカセット。
【発明の詳細な説明】
【０００１】
【発明の属する技術分野】
本発明はテープカセットに関し、より詳細には、録画済テープカセットに誤って再録画することを防止する目的で備えられている誤消去防止機構を備えたテープカセットに関する。
【０００２】
【従来の技術】
近年、ビデオデッキ用テープカセットの長時間化に伴い１本のビデオテープに数種類の録画が可能となってきているが、誤って保存しておきたい内容の上に重ねて録画してしまうことがある。これを防止する為に、テープカセットの背面には切舌に塞がれた誤消去防止部が設けられている。そして、ビデオテープの内容を保存しておきたい時には、当該切片を折ってその根本から除去する。
【０００３】
しかし、このようなテープカセットでは、再度録画したい場合、誤消去防止部２をセロハンテープ等により塞ぐ必要があり、手間がかかるだけでなく、万一、セロハンテープの粘着が不十分である場合には、ビデオデッキ内にセロハンテープが残ってしまい、ビデオデッキの故障の原因となる場合がある。
【０００４】
この問題を解決するため、特開平９−２９３３５６号公報に示す様に、誤消去防止孔に左右方向にスライド可能な誤消去防止スライダー片（以下、単に「スライダー片」という場合がある）を取り付け、このスライダー片を記録不可方向へスライドさせることにより誤消去防止孔を形成して録画不可とする一方、後日、再録画を希望する際には、スライダー片を逆の記録可方向へスライドさせ、誤消去防止孔を塞ぐことにより記録可能とする繰り返し使用が可能な構成の誤消去防止機構を備えたビデオデッキ用テープカセットが提案されている。
【０００５】
上記テープカセットについて、誤消去防止機構を中心に図面と共に説明する。図３（ａ）は上ケース１ａ、下ケース１ｂ、誤消去防止部２、および誤消去防止スライダー片４の分解斜視図である。図３（ｂ）は、被係止部５を備えたスライダー片４の拡大図である。図４（ａ）は上記テープカセット１の全体斜視図であり、図４（ｂ）は録画したい場合における図４（ａ）の要部拡大図であり、スライダー片４を閉方向（図面右方向）へスライドさせた状態を示している。図４（ｃ）は録画不可にしたい場合における図４（ａ）の要部拡大図であり、スライダー片４を開方向（図面左方向）へスライドさせた状態を示している。
【０００６】
これにより、ビデオデッキ（図示せず）に装着しても、ビデオデッキ側の検知部材（図示せず）が誤消去防止部２を検知することにより、録画が出来ない構成となっている。
【０００７】
詳細に説明すると、図３に示すように、上ケース１ａの背面に設けられた透孔１１に下ケース１ｂから突出した爪１２が上ケース１ａの内側から係止することにより、テープカセット１が組み立てられている。このテープカセット１の背面３の一端近傍には、下ケース１ｂの内側に向かって凹状の誤消去防止部２が形成されている。この誤消去防止部２について説明すると、誤消去防止部２に対応する下ケース１ｂの部分には奥壁７および底面８が形成されていると共に、この底面８には奥壁７に沿って長溝９が設けられている。この長溝９には、誤消去防止スライダー片４の下端に形成されている突起部４ａが嵌合しており、これにより誤消去防止スライダー片４のスライドがガイドされ、さらに誤消去防止スライダー片４には、奥壁７をまたぐような被係止部５が形成されており、誤消去防止スライダー片４と被係止部５とで断面冂字状に形成されている。
【０００８】
このようなテープカセットにおいて記録可能または録画不可に設定を変更する場合、ボールペン等の治具を誤消去防止スライダー片４の側面に設けられた凹部４ｂに引っかけて誤消去防止部２の奥壁７に沿って左右方向にスライダー片４をスライドさせる。このようにして、記録可能または録画不可に設定を変更することにより、テープカセットを繰り返し使用できる構成となっている。
【０００９】
また、図５（ａ）から（ｃ）までに示す様に、誤消去防止スライダー片４を左右方向へスライドさせて記録可能位置または記録不可位置まで到達させた時に、誤消去防止スライダー片４に備えられた被係止部５が、下ケース１ｂから隆起する係止部６（具体的には、後述する係止部６の曲面部６ａ及び６ｂ）に係止する構成となっており、これにより確実な係止が行われ、衝撃・振動・傾き等により誤消去防止スライダー片４が外れたり、意に反した方向にスライドすることがない構成となっている。
【００１０】
図５（ａ）は誤消去防止スライダー４が記録可能位置にあって、このスライダー４の被係止部５に係止部６が係止している状態、図５（ｂ）は、誤消去防止スライダー片４が中心部をスライドしている状態、図５（ｃ）は誤消去防止スライダー４が記録不可位置にあって、このスライダー片４の被係止部５に係止部６が係止している状態を示している。
【００１１】
【発明が解決しようとする課題】
しかし、誤消去防止スライダー片４を左右方向にスライドさせて記録可能位置または記録不可位置で確実に係止しなければならないという必要がある反面、誤消去防止スライダー片４に形成した被係止部５と下ケース１ｂに形成した係止部６との形状によっては、誤消去防止スライダー片４が意に反した方向（すなわち、逆方向）へスライドしたり、被係止部５に係止部６が係止した記録可能状態（または記録不可状態）にあるスライダー片４を、記録不可状態（または記録可能状態）にスライドさせる際には、誤消去防止スライダー片４自体の操作性が悪いという欠点があった。
【００１２】
この問題を解決する為に図７に示す様な構成があるが、この場合、誤消去防止スライダー片４に形成された被係止部５の内側から突出するように設けられた曲面状の曲面５ｃの曲率が、対応する下ケース１ｂに形成された係止部６の曲面部６ａ、６ｂの曲率より大きい為、誤消去防止スライダー片４を逆方向（ロック解除方向）へスライドさせる際の負荷が大きくなり、操作性が悪いとういう欠点がある。
また、図８に示すように、係止部６に曲面部６ａ及び６ｂを設けず、係止部６の形状を凹状６ｅ及び６ｆとすることも考えられているが、この場合、確かにスライダー片４を記録可能位置または記録不可位置に被係止片５の曲面５ｄがロックした際のロック感は良い。しかし、誤消去防止スライダー片４に負荷がかかりすぎて変形してしまうおそれがある。また、組立時、自動機でスライダー片４を凹部に挿入の際、高度な位置決め精度が要求されるという欠点がある。
【００１３】
本発明は、上記課題を解決する為になされ、その目的とするところは、誤消去防止スライダー片を記録可能位置と記録不可位置との間でスライドさせる際の操作性に優れるとともに、誤消去防止スライダー片を記録可能位置または記録不可位置にスライドさせた後にスライダー片を当該位置で確実にロックすることができる誤消去防止機構を備えたテープカセットを提供することにある。
【００１４】
【課題を解決するための手段】
上記課題を解決する本発明に係るテープカセットは、上下ケースの組合せによりなるテープカセットの背面に誤消去防止部が下ケースの内側に向かって凹形に形成されており、誤消去防止部内を記録可能位置と記録不可位置との間で左右方向にスライド可能な誤消去防止スライダー片が取り付けられており、誤消去防止スライダー片に曲面が形成された被係止部が備えられていると共に、下ケースから少なくとも２つの係止部が隆起しており、誤消去防止スライダー片を記録可能位置または記録不可位置までスライドさせた際に曲面状の被係止部の曲面にいずれか一方の係止部を構成する曲面部が当接した状態で係止することにより、記録可能位置または記録不可位置に前記誤消去防止スライダー片がロックされるテープカセットであって、記録可能位置または記録不可位置に誤消去防止スライダー片がロックされた際に前記係止部に当接した部分の曲面の曲率が、被係止部に当接した部分の曲面部の曲率と同じかまたは小さいことを特徴とする。
【００１５】
【発明の実施の形態】
以下、本発明を図面と共に詳細に説明する。尚、図３及び図４に示す従来のテープカセットと同じ構成については同一番号を付し詳細な説明は省略する。
（実施の形態１）
図１は、本発明に係るテープカセット１の誤消去防止スライダー片４に備えられた被係止部５と、下ケース１ｂから隆起する２つの係止部６とを示す平面視拡大図であり、図２は、本発明に係るテープカセット１の誤消去防止部２の断面図である。
【００１６】
図２に示すように、誤消去防止スライダー片４には、下ケース１ｂの奥壁７をまたぐようにして被係止部５が設けられている。この被係止部５の内側、すなわち、スライダー片４に向かい合う面には、図１に示すように、半円弧状の曲面５ａが形成されている。一方、下ケース１ｂからは２つの係止部６が隆起しており、この係止部６は、後述するように、記録可能位置または記録不可位置にスライダー片４が位置する（ロックされる）場合に、その被係止部５の曲面５ａが当接する曲面部６ａ、６ｂと、この曲面部６ａ、６ｂにそれぞれ連続する斜面部６ｃ、６ｄとからなる。なお、斜面部６ｃ、６ｄはなだらかな坂状になっていることが好ましいが、階段状になっていてもよい。
【００１７】
このようなスライダー片４の動作を説明すると、誤消去防止スライダー片４を記録可能位置と記録不可位置との間で左右方向にスライドさせた際には、スライダー片４に形成された被係止部５の曲面５ａが下ハーフ１ｂに形成された係止部６の斜面部６ｃ、６ｄ上をスライドすることにより被係止部５が弾性によりすこし外側にたわみ、続いて曲面部６ａ、６ｂを乗り越えた後に被係止部５が弾性復帰して記録可能位置または記録不可位置にスライダー片４が曲面部６ａ、６ｂによりロックされる構成となっている。
【００１８】
すなわち、図１に示す様に、録画を望まない場合は、誤消去防止スライダー片４を図面左側にスライドさせることにより、誤消去防止スライダー片４に備えられた被係止部５の曲面５ａを、下ケース１ｂから隆起した係止部６の斜面部６ｄを乗り越えさせて記録不可位置にまで到達させることにより、スライダー片４を曲面部６ｂによりロックする。再録画を望む場合は、誤消去防止スライダー片４を図１とは逆方向の図面右側にスライドさせ、誤消去防止スライダー片４に備えられた被係止部５の曲面５ａを、下ケース１ｂから隆起した係止部６の斜面部６ｃを乗り越えさせて記録可能位置にまで到達させることにより、スライダー片４を係止部６の曲面部６ａによりロックする。
【００１９】
本発明においては、記録可能位置または記録不可位置に誤消去防止スライダー片４がロックされた際に係止部６に当接した部分の曲面５ａの曲率が、被係止部５に当接した部分の曲面部６ａ、６ｂの曲率と同じかまたは小さく形成されているので、誤消去防止スライダー片４を記録可能位置または記録不可位置に任意にスライドさせることができるだけでなく、下ケース１ｂから隆起した係止部６の曲面部６ａ、６ｂの曲率と同等又はそれより小さな曲率を有する曲面５ａを有する誤消去防止スライダー片４の被係止部５により、誤消去防止スライダー片４を記録可能位置と記録不可位置との間でスライドさせる際の負荷を従来よりも小さくすることができ、操作性に優れる。さらに、スライダー片４を記録可能位置または記録不可位置までスライドさせた後には、曲面５ａの曲率が曲面部６ａ、６ｂと同等またはそれより小さいので、スライダー片４を記録可能位置または記録不可位置で確実にロックすることができる。
【００２０】
図１から図５までの説明では、被係止部５の曲面５ａは円弧状であるが、図６に示すように、楕円形の曲面５ｂにしてもよい。この場合にも、記録可能位置または記録不可位置に誤消去防止スライダー片４がロックされた際に、係止部６に当接した部分の曲面５ｂの曲率が、被係止部５に当接した部分の曲面部６ａ、６ｂの曲率と同じかまたは小さく形成されている。
【００２１】
【発明の効果】
このように、本発明により、誤消去防止スライダー片を記録可能位置と記録不可位置との間でスライドさせる際の操作性に優れるとともに、誤消去防止スライダー片を記録可能位置または記録不可位置にスライドさせた後にスライダー片を当該位置で確実にロックすることができる誤消去防止機構を備えたテープカセットが提供される。
【図面の簡単な説明】
【図１】
本発明に係るテープカセット１の誤消去防止スライダー片４に備えられた被係止部５と、下ケース１ｂから隆起する２つの係止部６とを示す平面視拡大図
【図２】
本発明に係るテープカセット１の誤消去防止部２の断面図
【図３】
図３（ａ）は上下ケース１ａ、１ｂ、誤消去防止部２、および誤消去防止スライダー片４の分解斜視図
図３（ｂ）は、被係止部５を備えたスライダー片４の拡大図
【図４】
図４（ａ）は上記テープカセット１の全体斜視図
図４（ｂ）は録画したい場合における図４（ａ）の要部拡大図
図４（ｃ）は録画不可にしたい場合における図４（ａ）の要部拡大図
【図５】
図５（ａ）は誤消去防止スライダー４が記録可能位置にあって、このスライダー４の被係止部５に係止部６が係止している状態を示す断面図
図５（ｂ）は、誤消去防止スライダー片４が中心部をスライドしている状態を示す断面図
図５（ｃ）は誤消去防止スライダー４が記録不可位置にあって、このスライダー片４の被係止部５に係止部６が係止している状態を示す断面図
【図６】
被係止部５の曲面５ａを楕円状とした場合における被係止部５と係止部６とを示す平面視拡大図
【図７】
従来のテープカセット１の誤消去防止スライダー片４に備えられた被係止部５と、下ケース１ｂから隆起する２つの係止部６とを示す平面視拡大図
【図８】
従来のテープカセット１の誤消去防止スライダー片４に備えられた被係止部５と、２つの凹状にした係止部６とを示す平面視拡大図
【符号の説明】
１  テープカセット
１ａ  上ケース  １ｂ  下ケースは
２  誤消去防止部
３  テープカセット１の背面
４  誤消去防止スライダー片
５  被係止部
５ａ  曲面
６  係止部
６ａ、６ｂ  曲面部
６ｃ、６ｄ  斜面部
７  奥壁
８  底面
９  長溝
１１  透孔
１２  爪
【手続補正２】
【補正対象書類名】図面
【補正対象項目名】図１
【補正方法】変更
【補正の内容】
【図１】
2001101826.tif 000001
【手続補正３】
【補正対象書類名】図面
【補正対象項目名】図２
【補正方法】変更
【補正の内容】
【図２】
2001101826.tif 000002
【手続補正４】
【補正対象書類名】図面
【補正対象項目名】図６
【補正方法】変更
【補正の内容】
【図６】
2001101826.tif 000003
【手続補正５】
【補正対象書類名】図面
【補正対象項目名】図７
【補正方法】変更
【補正の内容】
【図７】
2001101826.tif 000004
【手続補正６】
【補正対象書類名】図面
【補正対象項目名】図８
【補正方法】変更
【補正の内容】
【図８】
2001101826.tif 000005